(57)【要約】【課題】イオン発生器のイオンを効率よく放出させることにより、タバコの煙を除去し、さらには遊技機前面の静電気を除去して快適に遊技を楽しめるようにした遊技機を提供すること。【解決手段】ガラス扉４２の扉枠４３に設けられたカーボン線３８の先端部分に発生したマイナスイオンはスピーカー６７と網目状カバー６８との間に配設されたカーボン線３８から開口６９近くの空気中に発散され、ガラス扉４２の扉枠４３の上部裏面に設けられたスピーカー６７による空気の振動により開口６９から勢い良くパチンコ機４０の前方へ放出される。【選択図】図６
2006289057.tif 000002
【特許請求の範囲】
【請求項１】
イオンを発生するイオン発生器と、このイオン発生器で発生したイオンを前方に放出させるイオン放出手段とを備えたことを特徴とする遊技機。
【請求項２】
前記イオン放出手段はスピーカーであることを特徴とする請求項１に記載の遊技機。
【請求項３】
前記イオン放出手段は送風機であることを特徴とする請求項１に記載の遊技機。
【請求項４】
遊技盤と、この遊技盤の前面を覆うガラス扉と、このガラス扉の扉枠に設置されたイオンを発生するイオン発生器及びスピーカーとを備え、前記イオン発生器のイオン発散部を前記スピーカーの近傍に配置したことを特徴とする遊技機。
【請求項５】
遊技盤と、この遊技盤の前面を覆うガラス扉と、遊技機本体に設置されたイオンを発生するイオン発生器と、前記ガラス扉の扉枠に設置されたスピーカーとを備え、前記イオン発生器のイオン発散部を前記スピーカーの近傍に配置したことを特徴とする遊技機。
【請求項６】
遊技盤と、この遊技盤の前面を覆うガラス扉と、このガラス扉の扉枠に設けられた開口を介して空気を前方へ送風する送風機と、前記ガラス扉の扉枠に設置されたイオンを発生するイオン発生器とを備え、前記イオン発生器のイオン発散部を前記送風機による送風路内に配置したことを特徴とする遊技機。
【請求項７】
遊技盤と、この遊技盤の前面を覆うガラス扉と、パチンコ玉の貯留皿と、この貯留皿に連なるパチンコ玉の払出通路と、遊技機本体に設置されたイオンを発生するイオン発生器及び送風機とを備え、前記払出通路内に前記イオン発生器のイオン発散部により発散されたイオンを前記送風機により導入することを特徴とする遊技機。
【請求項８】
遊技盤と、この遊技盤の前面を覆うガラス扉と、パチンコ玉の貯留皿と、このパチンコ玉の貯留皿に設置されたイオンを発生するイオン発生器及び送風機とを備え、前記パチンコ玉の貯留皿に通風路を設け、この通風路内に前記イオン発生器のイオン発散部により発散されたイオンを前記送風機により導入することを特徴とする遊技機。
【請求項９】
メダル供給装置を内蔵し、このメダル供給装置からメダル通路を介して遊技メダルが貯留される貯留皿と操作部とを前面に有した遊技機において、遊技機本体前面に設けられた開口と、この開口を介して音声を前方へ出力するスピーカーと、イオンを発生するイオン発生器とを備え、前記イオン発生器のイオン発散部を前記スピーカーの近傍に配置したことを特徴とする遊技機。
【請求項１０】
メダル供給装置を内蔵し、このメダル供給装置からメダル通路を介して遊技メダルが貯留される貯留皿と操作部とを前面に有した遊技機において、遊技機本体前面に設けられた開口と、この開口を介して前方に送風する送風機と、イオンを発生するイオン発生器とを備え、前記イオン発生器のイオン発散部を前記送風機の送風路内に配置したことを特徴とする遊技機。
【請求項１１】
メダル供給装置を内蔵し、このメダル供給装置からメダル通路を介して遊技メダルが貯留される貯留皿と操作部とを前面に有した遊技機において、送風機と、イオンを発生するイオン発生器とを備え、前記イオン発生器のイオン発散部を送風機の送風路に配置するともに、この送風路を前記メダル通路に連通したことを特徴とする遊技機。
【発明の詳細な説明】
【技術分野】
【０００１】
この発明は、イオン発生器を備えたパチンコ機、スロット機等の遊技機に関するものである。
【背景技術】
【０００２】
従来、遊技島や遊技機の灰皿にイオン発生器を取り付け、イオンを発生させることにより、遊技機の静電気を除去したり、遊技機近傍の空気を清浄化する技術が提案されている（例えば、特許文献１及び特許文献２参照）。
【特許文献１】特開２００２−３０６８０７号公報
【特許文献２】特開２００４−３５８０３８号公報
【発明の開示】
【発明が解決しようとする課題】
【０００３】
しかしながら、この種のものでは、発生させたイオンが遊技機の前方に十分放出されないため、遊技中に隣の人のタバコの煙で目が痛くなったり、パチンコ玉や遊技メダルに触れた途端に静電気でビリッときたりして、落ち着いて遊技を楽しめないことがあった。
【０００４】
そこで本発明は、上記したような問題を解消するためになされたもので、イオン発生器のイオンを効率よく放出させることにより、タバコの煙を除去し、さらには遊技機前面の静電気を除去して快適に遊技を楽しめるようにした遊技機を提供することを目的とする。
【課題を解決するための手段】
【０００５】
このために第１の遊技機に係る発明は、イオンを発生するイオン発生器と、このイオン発生器で発生したイオンを前方に放出させるイオン放出手段とを備えたことを特徴とする。
【０００６】
第２の遊技機に係る発明は、第１の発明において、前記イオン放出手段はスピーカーであることを特徴とする。
【０００７】
第３の遊技機に係る発明は、第１の発明において、前記イオン放出手段は送風機であることを特徴とする。
【０００８】
第４の遊技機に係る発明は、遊技盤と、この遊技盤の前面を覆うガラス扉と、このガラス扉の扉枠に設置されたイオンを発生するイオン発生器及びスピーカーとを備え、前記イオン発生器のイオン発散部を前記スピーカーの近傍に配置したことを特徴とする。
【０００９】
第５の遊技機に係る発明は、遊技盤と、この遊技盤の前面を覆うガラス扉と、遊技機本体に設置されたイオンを発生するイオン発生器と、前記ガラス扉の扉枠に設置されたスピーカーとを備え、前記イオン発生器のイオン発散部を前記スピーカーの近傍に配置したことを特徴とする。
【００１０】
第６の遊技機に係る発明は、遊技盤と、この遊技盤の前面を覆うガラス扉と、このガラス扉の扉枠に設けられた開口を介して空気を前方へ送風する送風機と、前記ガラス扉の扉枠に設置されたイオンを発生するイオン発生器とを備え、前記イオン発生器のイオン発散部を前記送風機による送風路内に配置したことを特徴とする。
【００１１】
第７の遊技機に係る発明は、遊技盤と、この遊技盤の前面を覆うガラス扉と、パチンコ玉の貯留皿と、この貯留皿に連なるパチンコ玉の払出通路と、遊技機本体に設置されたイオンを発生するイオン発生器及び送風機とを備え、前記払出通路内に前記イオン発生器のイオン発散部により発散されたイオンを前記送風機により導入することを特徴とする。
【００１２】
第８の遊技機に係る発明は、遊技盤と、この遊技盤の前面を覆うガラス扉と、パチンコ玉の貯留皿と、このパチンコ玉の貯留皿に設置されたイオンを発生するイオン発生器及び送風機とを備え、前記パチンコ玉の貯留皿に通風路を設け、この通風路内に前記イオン発生器のイオン発散部により発散されたイオンを前記送風機により導入することを特徴とする。
【００１３】
第９の遊技機に係る発明は、メダル供給装置を内蔵し、このメダル供給装置からメダル通路を介して遊技メダルが貯留される貯留皿と操作部とを前面に有した遊技機において、遊技機本体前面に設けられた開口と、この開口を介して音声を前方へ出力するスピーカーと、イオンを発生するイオン発生器とを備え、前記イオン発生器のイオン発散部を前記スピーカーの近傍に配置したことを特徴とする。
【００１４】
第１０の遊技機に係る発明は、メダル供給装置を内蔵し、このメダル供給装置からメダル通路を介して遊技メダルが貯留される貯留皿と操作部とを前面に有した遊技機において、遊技機本体前面に設けられた開口と、この開口を介して前方に送風する送風機と、イオンを発生するイオン発生器とを備え、前記イオン発生器のイオン発散部を前記送風機の送風路内に配置したことを特徴とする。
【００１５】
第１１の遊技機に係る発明は、メダル供給装置を内蔵し、このメダル供給装置からメダル通路を介して遊技メダルが貯留される貯留皿と操作部とを前面に有した遊技機において、送風機と、イオンを発生するイオン発生器とを備え、前記イオン発生器のイオン発散部を送風機の送風路に配置するともに、この送風路を前記メダル通路に連通したことを特徴とする。
【発明の効果】
【００１６】
以上のように本発明によれば、スピーカーや送風機のようなイオン放出手段を用いてイオン発生器のイオンを遊技機前方へ効率よく放出させ、遊技機の近くのタバコの煙を除去することができ、遊技機前面の静電気を除電することもでき、更にはイオンをパチンコ玉や遊技メダルの通路や貯留皿を介して遊技機前方へ放出させるものでは、パチンコ玉や遊技メダルと遊技機前面の静電気を除去して快適に遊技を楽しむことができる。
【発明を実施するための最良の形態】
【００１７】
以下、この発明の実施形態を図に基づき説明する。先ず、イオン発生器としてのマイナスイオン発生器のブロック回路図である図１において、１はプリント基板１００上に設けられたマイナスイオン発生器であり、図２において詳述するが、電源電圧供給回路２、発振回路３、昇圧回路４、電圧変換回路５、抵抗体６、イオン切替部７、イオン発生部８を備えている。前記発振回路３は電源電圧供給回路２から供給される電力が直流波形の場合に交流に変換させる回路であり、電源電圧供給回路２から供給される電力が交流波形の場合には発振回路３を経ずに電源電圧供給回路２から昇圧回路４に電力が供給される。
【００１８】
なお、前記昇圧回路４と電圧変換回路５との間に電荷状況検出センサ（図示せず）を含む切替え回路を設け、この電荷状況検出センサにより除電したい対象物の電荷状況を検出し、例えばプラス帯電していることを検出するとイオン発生部８がマイナスイオンを発生するようにすると共にマイナス帯電していることを検出すると同じくプラスイオンを発生するように構成してもよいし、またスイッチの切替えによりいずれかのイオンを発生させるような構成でもよいし、更には当初よりいずれかのイオンのみしか発生できないような構成にしてもよいが、本実施形態ではマイナスイオンを発生するものとして説明する。なお、前記イオン切替部７は、イオン発生部８が例えばマイナスイオンを供給する箇所を複数有しているときの供給先を切替え選択するために設けられるものであり、図２においては図示していない。
【００１９】
以下、電源電圧供給回路２から供給される電力が直流の場合について、図２のマイナスイオン発生器の回路図に基づき詳細に説明する。１０は電源に電源線１０Ａ及び１０Ｂを介して接続された３端子レギュレータであり、電源出力時、電源電圧供給回路２の３端子レギュレータ１０に電圧が供給され、予め設定されている電圧が発振回路３及び昇圧回路４に供給される。
【００２０】
また、発振回路３は、複数のＮＰＮ型のトランジスタ１１、１２、コンデンサ１３、１４、抵抗１５、１６、１７、１８、及びダイオード２１、２２から成る回路にて構成されている。各トランジスタ１１、１２はともにＮＰＮ型であるが、それぞれの性能が僅かに違うことから、予め設定されている電圧が発振回路３に供給されると、コンデンサ１３又は１４が充電されて、コンデンサ１４と抵抗１６とにより又はコンデンサ１３と抵抗１５とにより、トランジスタ１１又は１２のベース電位が上昇しトランジスタ１１又は１２のどちらかが先にオン（ＯＮ）する。例えば、トランジスタ１１が先にオンした場合には、トランジスタ１１のコレクタ電流が多く流れてコレクタ電圧はそれだけ減少し、その減少分がコンデンサ１３を通してトランジスタ１２のベースにかかる。すると、トランジスタ１１のベース電圧が減少するので、トランジスタ１１のコレクタ電流は更に増加する。これによりコンデンサ１３は左が正の極性で供給電圧付近まで上昇し、トランジスタ１２のベース電圧は反対に負の大きな電位になる。しかし、コンデンサ１３に蓄えられた電荷は、抵抗１５を通して放電するために、トランジスタ１２のベース電圧は徐々に上昇し、ついに正の電位になる。その後、トランジスタ１２のコレクタ電流が流れ始め、コンデンサ１４が充電され始めると、その瞬間トランジスタ１２がオンし、トランジスタ１１はオフ（ＯＦＦ）する。このような一連の動作が、各トランジスタ１１、１２に交互に訪れ、結果として各トランジスタ１１、１２は交互にオン、オフを繰り返す。
【００２１】
前記昇圧回路４は、ＮＰＮ型のトランジスタ２３、トランス２４、及びコンデンサ２５、２６などから構成され、トランジスタ１２のオフによりトランジスタ２３のベースへ電圧が供給され、トランジスタ２３がオン状態になる。このトランジスタ２３がオン状態になると、トランス２４が通電し、トランス２４の巻線比に応じて増幅された電圧が電圧変換回路５へ出力される。このとき、トランジスタ２３のオンオフの周期は、前記発振回路３にて設定される。
【００２２】
前記電圧変換回路５は、複数のダイオード２７、２８、２９、３０、コンデンサ３１、３２、３３、３４にて構成される倍電圧整流回路である。ダイオード２７を経由してコンデンサ３１が充電され、ダイオード２８を経由してコンデンサ３３が充電され、ダイオード２９を経由してコンデンサ３２が充電され、ダイオード３０を経由してコンデンサ３４が充電され、各ダイオードの向きにより昇圧回路４から出力される電圧は正または負の直流電圧に変換される。
【００２３】
前記抵抗体６は、電極部３６、３７と、立方体或いは直方体であって前記電圧変換回路５から電極部３６、３７間に直流電圧（高電圧）が印加されると抵抗の役割を果たす鉱石３５とを備えている。この鉱石３５の対向した２面の各電極部３６、３７にはプリント基板１００への実装性を良くするために銅メッキが施され、この各電極部３６、３７とプリント基板１００の配線パターン部とが半田付けにより半田を介して固定される。そして、前記電圧変換回路５から直流電圧が印加された電極部３６とは反対側の電極部３７から電圧がイオン発生部８に印加され、イオン発生部８の先端からマイナスイオンを発生する。
【００２４】
そして、抵抗体６を介して電圧がカーボン線３８に印加し、カーボン線の先端部分からマイナスイオンを発生し、周囲の空中及び周辺をマイナスイオンにより帯電させる。
【００２５】
以上のように構成された前記マイナスイオン発生器１をパチンコ機やスロット機などの各種遊技機に適用することができる。
【００２６】
パチンコ機に前記マイナスイオン発生器１を適用する第１の実施形態を示す図５乃至図７において、４０はマイナスイオン発生器１を取り付けた遊技機であるパチンコ機であり、４１はパチンコ機本体の前面上部に設けられ例えばベニア板により形成された遊技盤、４２は回動自在に設けられ遊技盤４１の前面を覆うガラス扉であり、このガラス扉４２は矩形状の扉枠４３と透明なガラス４４とから構成されている。４５は遊技盤４１の中央にほぼ円形に窪ませて形成された遊技面であり、この遊技面４５にはその下端から円周沿い左上方に至る外側レール４６と内側レール４７とが間隔を存して固定され、外側レール４６と内側レール４７との間にはパチンコ球の発射通路４８が形成されている。
【００２７】
また、遊技面４５の上部には複数本（便宜上、６本図示）の金属製（導電性有する）の障害釘５０が打たれている。５１は遊技面４５のほぼ中央に突出して設けられた図柄表示装置であり、この図柄表示装置５１の中央には例えば液晶、ドラム或いは役物の３パターンがある主表示部５２が設けられ、側部には前記役物、例えば人形、飛行機或いは木の一部を表示する副表示部５３が設けられている。
【００２８】
また、遊技面４５の適所、例えば左上部には、風車５４が回転支軸である金属製（導電性有する）の釘５５により回転自在に取り付けられている。また、遊技面４５の適所、本実施の形態では図柄表示装置５１の下方にはそれぞれが開閉動作部５６により開閉される入賞口５７を備えた複数の入賞装置５８が水平方向に等間隔に設けられている。遊技面４５の下部には大当たり時の入賞装置６０が設けられる。更に、入賞装置６０の下方には、入賞せずに遊技面４５を落下したパチンコ球の排出口６１が内側レール４７の最下部に位置して形成されている。
【００２９】
なお、６２は遊技盤４１の下に設けられたパチンコ球の貯留皿である上皿、６３は上皿６２の下方に設けられたパチンコ球の貯留皿である下皿、６４は遊技者により操作されるハンドルで、６５は上皿６２に賞品球としてのパチンコ玉を払い出す上皿払出口、６６は上皿６２上のパチンコ玉を図示しないレバーの操作により下皿６３に払い出す下皿払出口である。
【００３０】
そして、前記上皿６２内に存在するパチンコ玉は、遊技者によるハンドル６４の操作により発射モータにより駆動される打球槌（図示せず）により弾かれ、発射通路４８内に連続して発射される。この発射通路４８を通過したパチンコ玉は遊技面４５を落下し、その途中で一部のパチンコ玉は障害釘５０に当り方向が変化しつつ落下する。また、一部のパチンコ玉は入賞口５７に落下し、落下した個数に応じて上部払出口６５から予め設定された個数の賞品球が上皿６２に払い出される。また、遊技面４５の下端まで落下したパチンコ玉は排出口６１に入る。
【００３１】
更に、遊技中の効果音を高めるため、ガラス扉４２の扉枠４３の上部裏面に左右一対の音声を出力するスピーカー６７が取り付けられている。このスピーカー６７に対応して扉枠４３には網目状カバー６８で覆われた開口６９が設けられている。また、２つのスピーカー６７の間の扉枠４３には上述したマイナスイオン発生器１が取り付けられ、このマイナスイオン発生器１から延びるカーボン線３８は２つに分岐し、その先端はスピーカー６７と網目状カバー６８との間に配設されている。
【００３２】
カーボン線３８の先端部分に発生したマイナスイオンはこのカーボン線３８の先端部分（イオン発散部）から開口６９近くの空気中に発散され、スピーカー６７による空気の振動により開口６９から勢い良くパチンコ機４０の前方へ放出されるため、パチンコ機４０の前面近くのタバコの煙が除去され、パチンコ機４０前面の静電気を除電することもでき、遊技者は遊技を快適に行うことができる。
【００３３】
以下、パチンコ機４０の第２の実施形態を図８乃至図１０に基づき説明するが、図５乃至図７に示したパチンコ機４０と同様の構成部分には同符号を付し、その詳細な説明は省略する。マイナスイオン発生器１はパチンコ機４０本体の背面に取り付けられ、カーボン線３８は遊技盤４１に開設された開口７０を通してその先端が扉枠４３の上部裏面に設けられたスピーカー６７と網目状カバー６８の間に導かれている。
【００３４】
このものでもカーボン線３８の先端部分に発生したマイナスイオンはこのカーボン線３８の先端部分から開口６９近くの空気中に発散され、スピーカー６７による空気の振動により開口６９から勢い良くパチンコ機４０の前方へ放出されるため、パチンコ機４０の前面近くのタバコの煙が除去され、パチンコ機４０前面の静電気を除電することもでき、遊技者は遊技を快適に行うことができる。
【００３５】
以下、パチンコ機４０の第３の実施形態を図１１乃至図１４に基づき説明するが、図５乃至図７に示したパチンコ機４０と同様の構成部分には同符号を付し、その詳細な説明は省略する。ガラス扉４２の扉枠４３の上部には左右一対の網目状カバー６８で覆われた開口６９が設けられている。２つの開口６９に対応して扉枠４３の裏面にはそれぞれ送風機７１が取り付けられている。そして、２つの送風機７１の間の扉枠４３にはマイナスイオン発生器１が取り付けられ、このマイナスイオン発生器１から延びるカーボン線３８は２つに分岐し、その先端は開口６９と送風機７１の間に臨ませてある。また、２つの送風機７１に対応してパチンコ機４０本体には２つの通気口７２が設けられる。
【００３６】
このため、カーボン線３８の先端部分に発生したマイナスイオンはこのカーボン線３８の先端部分から開口６９と送風機７１の間に発散され、送風機７１により通気口７２を介して導入されて開口６９を吹き出される空気と一緒にパチンコ機４０の前方へ勢い良く放出されるため、パチンコ機４０の近くのタバコの煙が除去され、パチンコ機４０前面の静電気を除電することもでき、遊技者は遊技を快適に行うことができる。
【００３７】
以下、パチンコ機４０の第４の実施形態を図１５乃至図１７に基づき説明するが、図５乃至図７に示したパチンコ機４０と同様の構成部分には同符号を付し、その詳細な説明は省略する。パチンコ機４０の背面には、パチンコ玉の供給皿７３と、供給皿７３のパチンコ玉を上皿払出口６５と下皿払出口６５に案内するダクト状の払出通路７４が上下に設けられている。また、上部払出口６５近くの払出通路７４には外部の空気を払出通路７４内に供給する送風機７５が取り付けられている。
【００３８】
また、パチンコ機４０の背面には、マイナスイオン発生器１が設置され、このマイナスイオン発生器１から延びるカーボン線３８の先端は払出通路７４と送風機７５の間に臨ませてある。
【００３９】
このため、カーボン線３８の先端部分に発生したマイナスイオンはこのカーボン線３８の先端部分から払出通路７４と送風機７５の間に発散され、送風機７５による送風により払出通路７４、上皿払出口６５及び下皿払出口６６を通って貯留皿である上皿６２及び下皿６３内に勢い良く放出され、さらにパチンコ機４０の前方へと放出されるため、パチンコ機４０の近くのタバコの煙が除去されるとともに、上皿６２及び下皿６３に入っているパチンコ玉やパチンコ機４０前面の静電気を除電することもでき、遊技者は遊技を快適に行うことができる。
【００４０】
以下、パチンコ機４０の第５の実施形態を図１８乃至図２０に基づき説明するが、図１５乃至図１７に示したパチンコ機４０と同様の構成部分には同符号を付し、その詳細な説明は省略する。パチンコ玉の貯留皿である上皿６２には下部と前部にそれぞれ開口７６、７７が設けられ、その間には通風路７８が形成されると共にこの通風路７８内にマイナスイオン発生器１が設けられている。また、開口７６の近くには送風機７９が設けられ、開口７７近傍の通風路７８にはマイナスイオン発生器１から延びるカーボン線３８の先端を臨ませてある。開口７７には網目状カバー８０が取り付けられている。
【００４１】
このため、カーボン線３８の先端部分に発生したマイナスイオンはこのカーボン線３８の先端部分から通風路７８の空気中に発散され、送風機７９により開口７６を介して通風路７８内に流入した空気と一緒に開口７７からパチンコ機４０の前方へ勢い良く放出されるため、パチンコ機４０の近くのタバコの煙が除去され、パチンコ機４０前面の静電気を除電することもでき、遊技者は遊技を快適に行うことができる。
【００４２】
次に、マイナスイオン発生器１を備えた遊技機としてスロット機８１の実施形態を図２１乃至図２３に基づき説明する。スロット機８１の前面には、操作部としてのスタートレバー８２及びストップスイッチ８３が間隔を存して設けられている。スロット機８１上部には左右一対の網目状カバー８４で覆われた開口８５が設けられている。２つの開口８５に対応してスロット機８１の裏面にはそれぞれ送風機８６が取り付けられている。そして、２つの送風機８６の間の裏面にはマイナスイオン発生器１が取り付けられ、このマイナスイオン発生器１から延びるカーボン線３８は２つに分岐し、その先端は開口８５と送風機８６の間に臨ませてある。
【００４３】
このため、カーボン線３８の先端部分に発生したマイナスイオンはこのカーボン線３８の先端部分から開口８５と送風機８６の間に発散され、送風機８６により開口８５を通して流出する空気と一緒にスロット機８１の前方へ勢い良く放出されるため、スロット機８１の近くのタバコの煙が除去され、スロット機８１の前面の静電気を除電することもでき、遊技者は遊技を快適に行うことができる。
【００４４】
また、スロット機８１の下部にはメダル供給装置８７が内蔵されている。このメダル供給装置８７から払出された遊技メダルはメダル通路８８を通って貯留皿８９に貯留される。そして、裏板９０の空気取り入れ口９１を介して送風機９２により流入した空気が送風ダクト（送風路）９３及びフィルター９４を介してメダル通路８８に供給されるように送風ダクト９３をメダル通路８８に連通してある。また、スロット機８１の下部にもマイナスイオン発生器１が設けられ、このマイナスイオン発生器１から延びるカーボン線３８の先端を前記送風機９２とフィルター９４の間に臨ませてある。
【００４５】
このため、カーボン線３８の先端部分に発生したマイナスイオンはこのカーボン線３８の先端部分から送風機９２とフィルター９４の間に発散され、送風機９２により送風ダクト９３を通って流れる空気と一緒にメダル通路８８に流出し、貯留皿８９からスロット機８１の前方へ勢い良く放出されるため、スロット機８１の近くのタバコの煙が除去されるとともに、貯留皿８９にある遊技メダルやスロット機８１の前面の静電気を除電することもでき、遊技者は遊技を快適に行うことができる。
【００４６】
以上のように、本発明はパチンコ機やスロット機のような遊技機において、イオン発生器のイオンを遊技機前方に効率良く放出させるようにしたので、遊技機の近くのタバコの煙を除去することができ、更にはイオンをパチンコ玉や遊技メダルの通路や貯留皿を介して遊技機前方へ放出させ、パチンコ玉や遊技メダルと遊技機前面の静電気を除去して遊技者が快適に遊技を楽しむことができるものである。
【００４７】
次に、マイナスイオン発生器１を備えた遊技機としてスロット機８１の他の実施形態を図２４に基づき説明するが、図２１乃至図２３に示したスロット機８１と同様の構成部分には同符号を付し、その詳細な説明は省略する。スロット機８１上部には左右一対の網目状カバー８４で覆われた開口８５が設けられており、この開口８５に対応してスロット機８１の裏面にはそれぞれ音声を出力するスピーカー９６が取り付けられている。そして、２つのスピーカー９６の間の裏面にはマイナスイオン発生器１が取り付けられ、このマイナスイオン発生器１から延びるカーボン線３８は２つに分岐し、その先端は開口８５とスピーカー９６の間に臨ませてある。
【００４８】
このため、カーボン線３８の先端部分に発生したマイナスイオンはこのカーボン線３８の先端部分から開口８５近くの空気中に発散され、スピーカー９６による空気の振動により開口８５から勢い良くスロット機８１の前方へ放出されるため、スロット機８１の前面近くのタバコの煙が除去され、スロット機８１の前面の静電気を除電することもでき、遊技者は遊技を快適に行うことができる。
【００４９】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００５０】
【図１】マイナスイオン発生器のブロック回路図である。
【図２】マイナスイオン発生器の回路図である。
【図３】マイナスイオン発生器が搭載されたプリント基板の平面図である。
【図４】マイナスイオン発生器が搭載されたプリント基板の斜視図である。
【図５】第１の実施形態のパチンコ機の正面図である。
【図６】同じく第１の実施形態のパチンコ機のガラス扉を開いた状態の斜視図である。
【図７】同じく第１の実施形態のパチンコ機の要部縦断面図である。
【図８】第２の実施形態のパチンコ機の正面図である。
【図９】同じく第２の実施形態のパチンコ機のガラス扉を開いた状態の斜視図である。
【図１０】同じく第２の実施形態のパチンコ機の背面図である。
【図１１】第３の実施形態のパチンコ機の正面図である。
【図１２】同じく第３の実施形態のパチンコ機の扉を開いた状態の斜視図である。
【図１３】同じく第３の実施形態のパチンコ機のガラス扉の要部背面図である。
【図１４】同じく第３の実施形態のパチンコ機のガラス扉の要部断面図である。
【図１５】第４の実施形態のパチンコ機の正面図である。
【図１６】同じく第４の実施形態のパチンコ機の背面図である。
【図１７】同じく第４の実施形態のパチンコ機における図１６のＡ−Ａの断面図である。
【図１８】第５の実施形態のパチンコ機の正面図である。
【図１９】同じく第５の実施形態のパチンコ機のガラス扉を開いた状態の斜視図である。
【図２０】同じく第５の実施形態のパチンコ機の要部縦断面図である。
【図２１】遊技機であるスロット機の正面図である。
【図２２】同じくスロット機の背面図である。
【図２３】同じくスロット機の要部断面図である。
【図２４】同じく他の実施形態のスロット機の背面図である。
【符号の説明】
【００５１】
１                マイナスイオン発生器
３８              カーボン線（イオン発散部）
４０              パチンコ機（遊技機）
４１              遊技盤
４２              ガラス扉
４３              扉枠
６２              上皿（貯留皿）
６３              下皿（貯留皿）
６５              上皿払出口
６６              下皿払出口
６７              スピーカー（イオン放出手段）
７１              送風機（イオン放出手段）
７４              払出通路
７５              送風機（イオン放出手段）
７８              通風路
７９              送風機（イオン放出手段）
８１              スロット機（遊技機）
８２              スタートレバー（操作部）
８３              ストップスイッチ（操作部）
８５              開口
８６              送風機（イオン放出手段）
８７              メダル供給装置
８８              メダル通路
８９              貯留皿
９２              送風機（イオン放出手段）
９３              送風ダクト（送風路）
９６              スピーカー（イオン放出手段）
【図１】
2006289057.tif 000003
【図２】
2006289057.tif 000004
【図３】
2006289057.tif 000005
【図４】
2006289057.tif 000006
【図５】
2006289057.tif 000007
【図６】
2006289057.tif 000008
【図７】
2006289057.tif 000009
【図８】
2006289057.tif 000010
【図９】
2006289057.tif 000011
【図１０】
2006289057.tif 000012
【図１１】
2006289057.tif 000013
【図１２】
2006289057.tif 000014
【図１３】
2006289057.tif 000015
【図１４】
2006289057.tif 000016
【図１５】
2006289057.tif 000017
【図１６】
2006289057.tif 000018
【図１７】
2006289057.tif 000019
【図１８】
2006289057.tif 000020
【図１９】
2006289057.tif 000021
【図２０】
2006289057.tif 000022
【図２１】
2006289057.tif 000023
【図２２】
2006289057.tif 000024
【図２３】
2006289057.tif 000025
【図２４】
2006289057.tif 000026